(57)【要約】      （修正有）【課題】ウィンドウェイと窓部とエッジを備えたエアリードを持つ楽器について、より装着が簡易で楽器への損傷の可能性が少なく音質を変えること無く弱音効果を調整出来きる装置を提供する。【解決手段】窓部１６より発音に必要なウィンドウェイ１４とエッジ１７の機能する幅を調整する低反発弾性材を挿入することで発音の音圧を変える。通常の音圧から無音までの音圧に下げることができ、尚且つ、発音する範囲部分には加工が無いために変わらぬ音色を提供することが出来る。楽器と接触する面に硬質の素材が使用されずリコーダー１に対する負担が少なく固定用ベルト２１を巻きつけるだけの簡易な取り付けで発音する部分の量の可視判断で音圧調整ができる。【選択図】図１
2013137481.tif 000002
【特許請求の範囲】
【請求項１】
空気流入口と空気流出口を具えたウィンドウェイ、同ウィンドウェイの空気流出口の下流側に配置されたエッジからなり、音を発生させるエアリードを持つ気鳴楽器において、前記窓部に挿入されて前記ウィンドウェイの空気流出口の空気流れ方向と直向する幅と、前記窓部の幅及び前記エッジの幅を調整する低反発弾性材からなる遮断部を備えた音圧の調整装置。
【請求項２】
ウィンドウェイからの空気流出口を遮断するものと、これをスライドさせ音圧を調整するベルトと、呼気を遮断するものの低摩擦部と、呼気を逃がし更に音圧を可視判断するための角カンで構成される弱音音圧調整装置。
【発明の詳細な説明】
【技術分野】
【０００１】  この発明は、リコーダー等のウィンドウェイと窓部とエッジとを備えたエアリードで発音する管楽器の演奏音の弱音及び音圧調整装置に関するものである。同様の仕組みで発音するオカリナ、スライドホイッスル、サンバホイッスル、ティン・ホイッスル、フラジオレットなど、更に鍵盤楽器ではあるが発音の仕組みが同じパイプオルガンなどでも、同様の方法を用いる事で同じ効果を得ることが出来る。
【背景技術】
【０００２】  金管楽器においては、ベル部内に装着する弱音器が提案されている。例えば、特許文献１に記載の技術では金管楽器のベルから発せられている音をマイクロホンにて集音するとともに電気信号に変換して音高を検知し、このときのバルブの操作常態をバルブ操作検出器にて検出して電気信号に変換し高音情報とバルブ操作情報とから演奏者が発音させようとしている高音を特定するととともにこの高音信号を標準高音として電気的に生成し、標準高音を音波として放射する技術が提案されている。【０００３】  また、特許文献２には、金管楽器のベル部に装着される消音器であって、底部と胴部からなり、底部に最大内径部があり、呼気を内部空間に連通して呼気外部空間に排出する所定の長さを有する呼気排出通路部を備え、呼気排出通路部の通路抵抗により外部への音波の伝播を抑制する技術が提案されている。【０００４】  また、特許文献３のリコーダーを含む木管楽器用消音具として、網糸をランダムに交差させてその内部にラビリンス状の空隙を連続させた三次元網目状の多孔質体円柱体に形成してなり、この消音具が、吹き口と、吹き口の楽器本体側に連続する第１音孔との間の通気孔内部に円柱体形状を通気孔の軸線方向へ向けて着脱自在に装着されることを特徴とする、管内に装着する木管楽器用消音具が提案されている。【０００５】  木管楽器はリードの振動か、空気の流れによって起こる振動で音を発するが、どちらもこの振動幅を抑えることが弱音、消音になる。リコーダーは窓部とウィンドウェイ部とを有するエアリードを持つ、空気の流れによって起こる振動で発音する気鳴楽器である。金管楽器と異なり管体にいくつも穴が開けられている木管楽器では金管楽器のようなベル部に対する処置では弱音、消音の効果は得られない。そこで、このエアリードである窓部とウィンドウェイやエッジに部材や装置をつける事での弱音が考案されてきた。【０００６】  特許文献４は窓部とウィンドウェイ部とを有するエアリードを持つ木管楽器の前記窓部に装着され、前記木管楽器の演奏音の音圧を減少させる弱音部材であって、前記ウィンドウェイ部の厚みよりも薄い板状の部材で形成され、前記窓部から前記ウィンドウェイ部へ差し込まれる差込部であって、前記板状の部材の差込方向の先端部か後端部方向に伸びるスリットが形成された差込部と、前記差込部の板状の部材の差込方向の後端部に設けられたフランジ部を備える弱音部材が提案されている。【０００７】  特許文献５はリコーダーのウィンドウェイより吹き込まれた空気によって空気渦を生成するのに適したエッジによって部分的に区切られた窓部を備え、弱音器は、エッジに向かって流れる吹き込まれた空気を部分的に区切られた窓を備え、弱音器はエッジに吹き込まれた気の流れを妨げるバリアを備えることによって特徴付けられる。この弱音器は、必要に応じてリコーダーの音の緩和度合いを選択できるように調整することができる利点がある。この弱音器は最大緩和位置に調整すると、夜間でも近隣に迷惑をかけることなくリコーダーを演奏することが可能になるとされている。
【先行技術文献】
【特許文献】
【０００８】
【特許文献１】  特表２００７−１７１２４９号公報
【特許文献２】  特開２００８−９６４９８号公報
【特許文献３】  特開２０１０−８５９６０号公報
【特許文献４】  特表２００９−５２４０９０号公報
【特許文献５】  特開２０１０−２２３９８２号公報
【発明の概要】
【発明が解決しようとする課題】
【０００９】  上述のように、金管楽器、木管楽器について様々な音圧を低減する弱音器が開発されてきたが、ウィンドウェイと窓部とエッジを備えたエアリードを持つ楽器について、より装着が簡易で楽器の損傷の可能性が少なく。更に弱音効果を調整出来る装置があれば好適である。【００１０】  昨今リコーダーは学校の教材として使用されることが多く、この事に伴い課題としての練習を自宅などですることが多くなったが練習時の音は近隣の迷惑になることから、出来るだけ小さくしたいものである。尚且つ、練習環境として音色や音程、ピッチなどは出来るだけ変化が無いことが好ましい。
同時に子供の利用が多い事を想定し、装置の操作によって楽器に損傷が少ない素材を利用し簡易な可視判断で音量の調整ができることを課題とする。【００１１】市販されている総てのリコーダーに装着を可能にする。【００１２】  通常の演奏時や練習時に装着する場合、奏者は指使いを確認する事が必要である。この所作や視界の妨げにならない事を目的とする。【００１３】  この装置が小さな音量を必要とする練習時だけでなく、通常の音量での演奏時でも着脱することなくスライドする位置の変化だけで対応することが出来れば、手間が省け紛失の可能性も減らすことが出来る。【００１４】  リコーダーの清掃を行う際にベック（唄口）より強く息を吹き込んで足部管下のベルより過剰な唾液などの水分を取り除くのに大きな音が出る。【００１５】  リコーダー以外の他のエアリード楽器でウィンドウェイと窓部とエッジを持ち同じ仕組みで発音する楽器でも、同様の効果を得られるようにする。
【課題を解決するための手段】
【００１６】  リコーダーから音が出る仕組みは、ベック（唄口）から吹き込まれた空気がウィンドウェイを通りエッジの先端にぶつかる時に渦が発生し、それによって管の中の空気自体が振動して発音する。前記一連の流れの量を調整できれば発音する空気の渦の量を調整する事と等しく音圧も調整することが可能である。【００１７】  そこで、この発明は空気流入口と空気流出口を具えたウィンドウェイ、同ウィンドウェイの空気流出口の下流側に配置されたエッジからなり、音を発生させるエアリードを持つ気鳴楽器において、前記窓部に挿入されて前記ウィンドウェイの空気流出口の空気流れ方向と直向する幅と、前記窓部の幅及び前記エッジの幅を調整する可動が可能な遮断部を設けることで音圧の調整を可能にした。尚且つ、音色を決定するエッジの発音する範囲部分は妨げることが無いために変わらぬ音色を提供することが出来る。【００１８】  前記の可動可能な空気の遮断部がどちらか一方側から窓部とウィンドウェイとエッジをほぼ同じ割合で塞ぐので、開放部分が小さいほど音圧が下がり、大きくすれば音圧を上げることが出来るという変化を可視判断できるために子供でも容易に音圧調整する事が可能であり、遮断されない発音部分には加工が無いので音色を変えずに発音させることが可能である。楽器に直接触れる箇所には低反発ウレタン素材やナイロン、テフロンシートなどの軟質の素材を利用するので楽器に対する負担が少ない。同時にこうした素材を利用することで加工も容易になり印刷や着色やデザインなどの付加要素が増える。【００１９】  但し、この装置を装着することで半音程度ピッチが下がるが、通常リコーダーのピッチ調整は頭部管と中部管の繋ぎ目の抜き差しで管体の長さを調整することで行う。リコーダーにピッチ調整が可能な範囲で繋ぎ目の長さがあればピッチも調整して演奏することができる。【００２０】  この発明によれば、音色の追求や製造上の簡便さなどで異なる多様なウィンドウェイや窓部やエッジの形状に関係なく装着ができる。ウィンドウェイと窓部とエッジを塞ぐ素材が軟質な低反発弾性材であることから柔軟に密着し効果を発揮するからである。【００２１】  上記の課題を解決するために使用される空気遮断をするものの材質は、例えば低反発弾性軟質ポリウレタンフォームのように、空気の流れを遮断し、遮音性があり、クッション性があり、形状記憶性があるものを使用する。楽器と接触する面は音量調節のためにスライドさせるので摩擦抵抗が小さい素材で、更に演奏による唾液や湿気を考慮し吸水性の無い素材であり、空気を遮断する素材の凹凸面に添おうとするのを妨げない、例えばテフロンシートを前記の空気遮断をするための素材に接着、もしくは同様の効果がある素材をコーティングする。これらの素材が効率よくウィンドウェイと窓部とエッジを塞ぎ、微調整しやすい固定用ベルトとして織製両面面ファスナー、若しくは伸縮性のあるゴム等の素材等を用いて装着する。【００２２】  この発明によれば突起する箇所も無くコンパクトであるために、演奏時や練習時に指使いを確認する際も視界の妨げにならず、快適に演奏することが出来る。【００２３】  空気の流れを遮断する低反発弾性軟質材と隣接する部分にウィンドウェイと��部とエッジとを妨げることが無い幅の角カンを用いた枠を設ける。この枠内では空気の抵抗が無くなる為にまったく通常と変わらない演奏が可能になる。同時にこの枠によって軟質の低反発弾性軟質材のスライドを円滑にし、尚且つ音量の可視判断時の確認用の窓となり、更にリコーダーに固定するためのベルトの受けにもなる。【００２４】  角カンの素材は金属、プラスチックいずれでも良いが、呼気に含まれる湿度を考慮し錆びたりしないものが望ましい。【００２５】  この発明によれば、空気遮断部の幅を窓部より余裕を持たせることで、消音効果部分でウィンドウェイと窓部とエッジを完全に塞ぐように音量調整装置を装着すれば発音されず空気が通過する音だけになるので、この効果を利用して簡単に清掃を行うことが出来る。【００２６】  この発明によれば気鳴楽器で、窓部とウィンドウェイ部とエッジを備えたエアリードを持つ楽器すべてに於いて、音質を変えずに発音可能なウィンドウェイとエッジの幅の最大限から最小限までの音量を調整することが出来る。例えば同じ仕組みで発音するオカリナ、スライドホイッスル、サンバホイッスル、ティン・ホイッスル、フラジオレットなどが同様の方法で可能である。オカリナについては、筒状の形状ではないので、固定用のベルトの変更で同じ概念による弱音器となる。更に鍵盤楽器ではあるが、発音の仕組みが同じパイプオルガンのフルー管の場合でも、同様の方法で音量を調整する事が可能であるが、数が多いので一斉にスライドさせる方法との組み合わせで同様の効果を得ることが出来る。【００２７】  このように考案された本発明は、同性質を備えた他の材料やサイズの考慮により多くの変形が可能であり、こうした変更および変形は全て本発明の概念の範囲に包含される。
【図面の簡単な説明】
【００２８】
【図１】この発明の一実施形態を示す斜視図
【図２】弱音音圧調整装置の外観を示す正面図
【図３】弱音音圧調整装置の外観を示す側面図
【図４】リコーダーの頭部管の切断線を示した正面図
【図５】リコーダーの頭部管に弱音音圧調整装置を装着したＡ−Ａ側断面図
【図６】リコーダーの頭部管に弱音音圧調整装置を装着したＢ−Ｂ縦断面図
【図７】リコーダーの頭部管に弱音音圧調整装置を装着途中の斜視図
【図８】リコーダーの頭部管に弱音音圧調整装置を装着途中の斜視図
【図９】リコーダーの頭部管に弱音音圧調整装置を装着後の斜視図
【図１０】リコーダーの頭部管の正面図
【図１１】リコーダーの頭部管に弱音音圧調整装置を音圧の低減を目的として装着した正面図
【図１２】リコーダーの頭部管に弱音音圧調整装置を窓部とエッジを完全に開放して装着した正面図
【図１３】リコーダーの頭部管に弱音音圧調整装置を窓部とエッジを完全に塞いで装着した正面図
【図１４】ウィンドウェイの切断線を示した正面図
【図１５】ストレート・ウィンドウェイのＣ−Ｃ断面図
【図１６】アーチ型ウィンドウェイのＣ−Ｃ断面図
【図１７】オカリナに弱音音圧調整装置を装着した斜視図
【発明を実施するための形態】
【００２９】
【実施例１】
【００３０】  この発明の一実施形態を図１に示す。図１中の弱音音圧調整装置２の装着時であり、図２は前記の正面図で図３は前記の側面図である。ウィンドウェイ１４からの呼気を遮断する呼気遮断部２３とこれをスライドさせ音圧を調整することが可能な固定ベルト２１と呼気遮断部２３と楽器との摩擦低減部２４と呼気を逃し更に音圧を可視判断するための角カン２２で構成される。【００３１】  図４は弱音音圧調整装置の装着時の図で切断線を示した。Ａ−Ａ側断面図の図５が示すように呼気遮断部２３が窓部１６よりウィンドウェイ１４から流出する呼気を遮断し、同時にエッジ１７に流入しようとする呼気も遮断する。図６のＢ−Ｂ縦断面図はウィンドウェイ１４が窓部１６より挿入されて呼気遮断部２３によって部分的に呼気が遮断されたことを示す。【００３２】  呼気遮断部２３が塞いでいないウィンドウェイ１４からの呼気が窓部を通過し更に呼気流出方向の符号１７のエッジに当たり空気の渦が発生することによって発音する。呼気遮断部２３によって削減された呼気が更に呼気遮断部２３によって削減されたエッジ１７によって起こる空気の渦は減少し音圧が下がる。前記の仕組みにより、呼気遮断部２３が発音を妨げる割合により音圧を調整することが可能になり、開放部分の増加に伴い発音に関与する空気の渦の発生が増加し音圧が上がり、前記と反対に開放部分が減少すれば空気の渦の発生が減少し音圧が下がる。【００３３】  前記により弱音音圧調整装置２の取り付け方法は図７から図９のような一連の動作により装着する事を示す。固定用ベルト２１を用いて窓部１６に呼気遮断部２３が前記の図５、図６の要件を満たす位置にベルトを巻き、角カン２２に通し、角カン２２の枠内で窓部１６側のウィンドウェイ１４やエッジ１７の開放と閉鎖の状態を確認しながら呼気遮断部２３が窓部から挿入し密着するように通したベルト先端を引き返してベルトの素材である織製両面面ファスナーの接着を利用して固定する。【００３４】  図１０はリコーダー頭部管の正面図で弱音音圧調整装置２の取り付け前の状態である。図１１から図１３は弱音音圧調整装置２のスライドによる利用効果を示すものである。図１１は図１０に前記の方法で弱音音圧調整装置２を取付けた図である。窓部１６やエッジ１７への呼気流入を角カンの枠内にて可視判断しながら音圧調整の目安とする。図１２は角カン２２を利用しウィンドウェイ１４からの呼気流出と窓部１６とエッジ１７への呼気流入を完全に開放した状態であり、装置のスライドのみで取り外す事無く通常と変わらぬ演奏が可能である事を示した図である。図１３はウィンドウェイ１４からの呼気流出と窓部１６とエッジ１７への呼気流入を完全に閉鎖した状態で、リコーダーの清掃時に呼気を強く吹き込んで唾液を排出させる時の騒音の防止となる。【００３５】  図１４はリコーダーのベック（唄口）１５の切断線を示す。リコーダーのウィンドウェイには音色に特徴を持たせる為に異なる形状のものがあり、Ｃ−Ｃ縦断面図の図１５はストレート・ウィンドウェイと図１６はアーチ型ウィンドウェイである。弱音音圧調整装置２は図１５や図１６のように多少の異なる形状であっても装置の構造上、呼気遮断部２３の素材がフレキシブルな低反発弾性材であることから同様の弱音の効果を得ることが可能である。更にメーカーや音域のパートにより多少の形状の変化やサイズの異なるものにも対応出来る範囲が広い。【００３６】  楽器本体形状を構成する頭部管１１、中部間１２、足部管１３の全てが筒状である為に安定感が無く机上より転がり落下することが多かったが、角カン２２を備えたことで形状に凹凸が形成され転がりにくくなり扱いやすくなった。【００３７】  更に、固定ベルトに色彩や模様のバリエーションを設ける事で視覚的にも装飾としての価値を付加する事が可能である。学校などの場で他者との識別化としての機能性を利用できる。
【実施例２】
【００３８】  次に、この発明の第２の実施形態について説明する。図１７は同様の仕組みで発音するエアリード楽器の一つであるオカリナに弱音音圧調整装置を装着した斜視図である。オカリナについては筒状の形状ではないので、固定用のベルトの変更で同じ概念による弱音器となる。上半体の３ａにおいてゴム・ベルト３１が音孔１８を遮らないよう配慮し下半体の３ｂにおいてはエッジ部が円形でウィンドウェイ１４から呼気が放射状にエッジ１７に当たり空気の渦が発生し発音させるのでオカリナ専用呼気遮断部３２を、オカリナ専用固定ゴム・ベルトの呼気遮断部スライド時の支点３５に従いスライドさせて音圧を下げる。【００３９】オカリナ専用呼気遮断部３２の素材は実施例１と同様の低反発軟質材が好適である。尚、可動時の所作から、低摩擦部２４は必要としない。実施例１と同様の条件である窓部に於けるウィンドウェイ１４からの呼気流出幅とエッジへの呼気流入幅の調整で音圧を調整することが可能である。この時使用するオカリナ専用固定ゴム・ベルトの素材は粘性があり本体に密着しベルト自体が固定可能なシリコン材などが好適であり、更に音孔１８を遮りにくいような細いものが好適である。
【実施例３】
【００４０】  他に同じ仕組みで発音するスライドホイッスル、サンバホイッスル、ティン・ホイッスル、フラジオレットなどは、筒状である実施例１と同様の構造、方法で多少のサイズ変更などで弱音音圧調整が可能である。更に鍵盤楽器ではあるが、発音の仕組みが同じパイプオルガンのフルー管の場合でも、同様の方法で音量を調整する事が可能であるが、数が多いので一斉にスライドさせる方法との組み合わせで同様の効果を得ることが出来る。【００４１】  この弱音音圧調節装置２は単なる弱音ではなく音圧の調整が可能になることでエアリード楽器の合奏時の位置付けにも変化が生じる。今までには無い他楽器との合奏が可能になる可能性があり、練習の為の弱音だけのではなく新たな演奏ジャンルを探求する音楽表現の助けとなる。
【符号の説明】
【００４２】１・・・リコーダー、２・・・弱音音圧調節装置、３ａ・・・オカリナ上半体、３ｂ・・・オカリナ下半体、１１・・・頭部管、１２・・・中部管、１３・・・足部管、
１４・・・ウィンドウェイ、１５・・・ベック（唄口）、１６・・・窓部、１７・・・エッジ、１８・・・音孔（トーンホール）、２１・・・固定用ベルト（織製両面面ファスナー）、２２・・・角カン、２３・・・呼気遮断部（低反発弾性軟質ポリウレタンフォーム）、２４・・・低摩擦部（テフロンシート）、３１・・・オカリナ専用固定ゴム・ベルト（シリコン・ゴム）、３２・・・オカリナ専用呼気遮断部、３５・・・呼気遮断部スライド時の支点
【図１】
2013137481.tif 000003
【図２】
2013137481.tif 000004
【図３】
2013137481.tif 000005
【図４】
2013137481.tif 000006
【図５】
2013137481.tif 000007
【図６】
2013137481.tif 000008
【図７】
2013137481.tif 000009
【図８】
2013137481.tif 000010
【図９】
2013137481.tif 000011
【図１０】
2013137481.tif 000012
【図１１】
2013137481.tif 000013
【図１２】
2013137481.tif 000014
【図１３】
2013137481.tif 000015
【図１４】
2013137481.tif 000016
【図１５】
2013137481.tif 000017
【図１６】
2013137481.tif 000018
【図１７】
2013137481.tif 000019
【手続補正書】
【提出日】平成24年6月8日(2012.6.8)
【手続補正１】
【補正対象書類名】特許請求の範囲
【補正対象項目名】全文
【補正方法】変更
【補正の内容】
【特許請求の範囲】
【請求項１】
空気流入口と空気流出口を具えたウィンドウェイ、同ウィンドウェイの空気流出口の下流側に窓部を挟んでエッジが配置されて構成されたエアリードを持つ気鳴楽器において、前記窓部に挿入されて前記ウィンドウェイの空気流出口の空気の流れ方向に直交する幅と前記窓部の幅及び前記エッジの幅を調整する、空気の流れを遮断し、遮音性があり、クッション性があり、形状記憶性があるものからなる遮断部を具えた音圧調整装置。
【請求項２】
ウィンドウェイからの空気流出口を遮断し同時にエッジに流入しようとする呼気も遮断する前記遮断部と、これをスライドさせ音圧を調整する固定ベルトと、呼気を逃がし更に音圧を可視判断するための角カンで構成される請求項１記載の音圧調整装置。
【手続補正３】
【補正対象書類名】明細書
【補正対象項目名】００１７
【補正方法】変更
【補正の内容】
【００１７】  そこで、この発明は空気流入口と空気流出口を具えたウィンドウェイ、同ウィンドウェイの空気流出口の下流側に窓部を挟んでエッジが配置されて構成されたエアリードを持つ気鳴楽器において、前記窓部に挿入されて前記ウィンドウェイの空気流出口の空気流れ方向と直交する幅と、前記窓部の幅及び前記エッジの幅を調整するスライドが可能な遮断部を設けることで音圧の調整を可能にした。尚且つ、音色を決定するエッジの発音する範囲部分は妨げることが無いために変わらぬ音色を提供することが出来る。
【手続補正書】
【提出日】平成24年6月11日(2012.6.11)
【手続補正１】
【補正対象書類名】図面
【補正対象項目名】図１
【補正方法】変更
【補正の内容】
【図１】
2013137481.tif 000020
【手続補正２】
【補正対象書類名】図面
【補正対象項目名】図４
【補正方法】変更
【補正の内容】
【図４】
2013137481.tif 000021
【手続補正３】
【補正対象書類名】図面
【補正対象項目名】図６
【補正方法】変更
【補正の内容】
【図６】
2013137481.tif 000022
【手続補正４】
【補正対象書類名】図面
【補正対象項目名】図９
【補正方法】変更
【補正の内容】
【図９】
2013137481.tif 000023
【手続補正５】
【補正対象書類名】図面
【補正対象項目名】図１１
【補正方法】変更
【補正の内容】
【図１１】
2013137481.tif 000024
【手続補正６】
【補正対象書類名】図面
【補正対象項目名】図１２
【補正方法】変更
【補正の内容】
【図１２】
2013137481.tif 000025
【手続補正７】
【補正対象書類名】図面
【補正対象項目名】図１３
【補正方法】変更
【補正の内容】
【図１３】
2013137481.tif 000026
【手続補正８】
【補正対象書類名】図面
【補正対象項目名】図１７
【補正方法】変更
【補正の内容】
【図１７】
2013137481.tif 000027